(57)【要約】【課題】イントラ予測において、下側又は右側の参照画素を用いる場合であっても、エントロピーの増大を低減させる。【解決手段】符号化装置１は、イントラ予測モードを用いて予測画像を生成するように構成されているイントラ予測部１４ａと、予測画像と原画像との差分により残差信号を生成するように構成されている残差信号生成部１４ｂと、イントラ予測部１４ａが、右側及び下側の少なくとも一方に位置する参照画素を用いて予測画像を生成した場合に、残差信号に対して、水平方向及び垂直方向の少なくとも一方の基底を反転させた上で直交変換処理を施すように構成されている直交変換部１４ｃとを具備する。【選択図】図３
2018121318.tif 000002
【特許請求の範囲】
【請求項１】
動画像を構成するフレーム単位の原画像を符号化対象ブロックに分割して符号化するよ
うに構成されている符号化装置であって、
イントラ予測モードを用いて予測画像を生成するように構成されているイントラ予測部
と、
前記予測画像と原画像との差分により残差信号を生成するように構成されている残差信
号生成部と、
前記イントラ予測部が、右側及び下側の少なくとも一方に位置する参照画素を用いて前
記予測画像を生成した場合に、前記残差信号に対して、水平方向及び垂直方向の少なくと
も一方の基底を反転させた上で直交変換処理を施すように構成されている直交変換部とを
具備することを特徴とする符号化装置。
【請求項２】
前記イントラ予測部が、右側及び下側の少なくとも一方に位置する参照画素を用いて前
記予測画像を生成した場合で、且つ、適用する直交変換処理が、非対称な直交変換処理で
ある場合に、前記直交変換部は、前記残差信号に対して、水平方向及び垂直方向の少なく
とも一方の基底を反転させた上で直交変換処理を施すように構成されていることを特徴と
する請求項１に記載の符号化装置。
【請求項３】
動画像を構成するフレーム単位の原画像を符号化対象ブロックに分割して復号するよう
に構成されている復号装置であって、
イントラ予測モードを用いて予測画像を生成するように構成されているイントラ予測部
と、
前記イントラ予測部が、右側及び下側の少なくとも一方に位置する参照画素を用いて前
記予測画像を生成した場合に、水平方向及び垂直方向の少なくとも一方の基底を反転させ
た上で変換係数に対して逆直交変換処理を施すことによって残差信号を生成するように構
成されている逆変換部とを具備することを特徴とする復号装置。
【請求項４】
前記イントラ予測部が、右側及び下側の少なくとも一方に位置する参照画素を用いて前
記予測画像を生成した場合で、且つ、適用する直交変換処理が、非対称な直交変換処理で
ある場合に、前記逆変換部は、水平方向及び垂直方向の少なくとも一方の基底を反転させ
た上で変換係数に対して逆直交変換処理を施すことによって残差信号を生成するように構
成されていることを特徴とする請求項３に記載の復号装置。
【請求項５】
動画像を構成するフレーム単位の原画像を符号化対象ブロックに分割して符号化するよ
うに構成されている符号化装置であって、
イントラ予測モードを用いて予測画像を生成するように構成されているイントラ予測部
と、
前記予測画像と原画像との差分により残差信号を生成するように構成されている残差信
号生成部と、
前記イントラ予測部が、右側及び下側の少なくとも一方に位置する参照画素を用いて前
記予測画像を生成した場合に、前記残差信号を水平方向及び垂直方向の少なくとも一方に
反転した上で直交変換処理を施すように構成されている直交変換部とを具備することを特
徴とする符号化装置。
【請求項６】
前記イントラ予測部が、右側及び下側の少なくとも一方に位置する参照画素を用いて前
記予測画像を生成した場合で、且つ、適用する直交変換処理が、非対称な直交変換処理で
ある場合に、前記直交変換部は、前記残差信号を水平方向及び垂直方向の少なくとも一方
に反転した上で直交変換処理を施すように構成されていることを特徴とする請求項５に記
載の符号化装置。
【請求項７】
動画像を構成するフレーム単位の原画像を符号化対象ブロックに分割して復号するよう
に構成されている復号装置であって、
イントラ予測モードを用いて予測画像を生成するように構成されているイントラ予測部
と、
前記イントラ予測部が、右側及び下側の少なくとも一方に位置する参照画素を用いて前
記予測画像を生成した場合に、変換係数に逆直交変換処理を施すことで得られる信号を水
平方向及び垂直方向の少なくとも一方に反転することによって残差信号を生成するように
構成されている逆変換部とを具備することを特徴とする復号装置。
【請求項８】
前記イントラ予測部が、右側及び下側の少なくとも一方に位置する参照画素を用いて前
記予測画像を生成した場合で、且つ、適用する直交変換処理が、非対称な直交変換処理で
ある場合に、前記逆変換部は、変換係数に逆直交変換処理を施すことで得られる信号を水
平方向及び垂直方向の少なくとも一方に反転することによって残差信号を生成するように
構成されていることを特徴とする請求項７に記載の復号装置。
【請求項９】
コンピュータを、請求項１、２、５又は６に記載の符号化装置として機能させるための
プログラム。
【請求項１０】
コンピュータを、請求項３、４、７又は８に記載の復号装置として機能させるためのプ
ログラム。
【発明の詳細な説明】
【技術分野】
【０００１】
本発明は、符号化装置、復号装置及びプログラムに関する。
【背景技術】
【０００２】
Ｈ.２６５/ＨＥＶＣ（Ｈｉｇｈ  Ｅｆｆｉｃｉｅｎｃｙ  Ｖｉｄｅｏ  Ｃｏｄｉｎｇ）
に代表される動画像（映像）符号化方式では、フレーム間の時間的相関を利用したインタ
ー予測及びフレーム内の空間的相関を利用したイントラ予測の２種類の予測を切り替えな
がら予測を行って残差信号を生成した後、直交変換処理やループフィルタ処理やエントロ
ピー符号化処理を行い得られたストリームを出力するように構成されている。
【０００３】
ＨＥＶＣにおけるイントラ予測では、Ｐｌａｎｅｒ予測やＤＣ予測や方向予測の計３５
種類のモードが用意されており、エンコーダで決定されたモードに従って、隣接する復号
済み参照画素を用いてイントラ予測を行うように構成されている。
【０００４】
ここで、イントラ予測では、フレーム内で最も左上に位置する符号化対象ブロック（以
下、「ＣＵ：Ｃｏｄｉｎｇ  Ｕｎｉｔ」と呼ぶ）等、隣接する復号済み参照画素が存在し
ないＣＵでは、規定した値（１０ビットの動画像であれば「５１２」）を埋める処理によ
り、予測画像を生成する際に用いる参照画素を作り出すように構成されている。
【０００５】
また、従来のＨＥＶＣでは、符号化処理が、左上からラスタースキャン順に行われるた
めに、参照画素が復号済みでない場合がある。このような場合には、最も近い復号済み参
照画素を０次外挿した値を用いて予測画像を生成するように構成されている。
【０００６】
とりわけ、従来のＨＥＶＣにおけるイントラ予測では、図８（ａ）に示すラスタースキ
ャン順による符号化処理により、ＴＵの分割形状によりフレームの端以外でも、ＣＵの左
下や右上に位置する参照画素が復号済みでない場合が多く（図８（ｂ）参照）、このよう
な場合に、復号済みでない参照画素が存在する方向からの方向予測を行うと予測精度が低
下し、符号化効率が低減してしまうという問題点があった。
【０００７】
かかる問題点を解決するために、イントラ予測において、ＣＵ内に存在する複数の変換
ブロック（以下、「ＴＵ：Ｔｒａｎｓｆｏｒｍ  Ｕｎｉｔ」と呼ぶ）に対する符号化処理
順として、ラスタースキャン順（例えば、Ｚ型）の他、Ｕ型やＸ型等の符号化順に自由度
を持たせることによって予測精度の向上を図る技術が知られている（非特許文献１参照）
。
【０００８】
なお、図８（ａ）及び図８（ｂ）の例では、左下から右上に向かう方向（図８（ａ）及
び図８（ｂ）における破線矢印が示す方向の逆方向）において方向予測を行うように構成
されており、左下の参照画素を用いて、破線矢印上の画素を予測する。なお、本明細書の
図において、イントラ予測モードの方向（予測方向）を示す矢印は、ＨＥＶＣ規格書にお
ける記載と同様に、イントラ予測の対象の画素から参照画素に向かうものとする（以下同
様）。
【先行技術文献】
【非特許文献】
【０００９】
【非特許文献１】望月等、「平均値座標に基づいた適用イントラ予測方式」、情報処理学会研究報告、ｖｏｌ、２０１２-ＡＶＭ-７７、Ｎｏ.１２
【発明の概要】
【発明が解決しようとする課題】
【００１０】
従来のＨＥＶＣでは、図９に示すように、イントラ予測が空間的に隣接する上側又は左
側の復号済み参照画素を利用した予測であり、復号済み参照画素に近い位置の予測画像の
精度が高く、復号済み参照画素から遠い位置の予測画像の精度が低くなる傾向にあること
を利用し、復号済み参照画素の位置する左側及び上側方向から水平及び垂直方向に離散サ
イン変換（以下、「ＤＳＴ」と呼ぶ）或いは離散コサイン変換（以下、「ＤＣＴ」と呼ぶ
）等の直交変換を適用し、残差信号のエントロピーを減少させている。
【００１１】
特に、ＤＳＴのインパルス応答の形状は、図１０に示すように、一端が閉じており他端
が広がるような非対称な形状をしているため、図１１に示すように、生成された残差信号
の信号強度に合わせてＤＳＴを適用することで、エントロピーの減少を効果的に行うこと
ができる。
【００１２】
上述のように、非特許文献１に記載されている技術では、イントラ予測において、下側
又は右側の参照画素を用いるケースがある。
【００１３】
かかるケースでは、残差信号において、参照画素の位置に近い下側や右側の信号強度が
小さくなり、参照画素の位置から遠い上側や左側の信号強度が高くなる傾向となるため、
通常通りに直交変換を適用すると、エントロピーが増大してしまう場合があり、これが符
号化効率を低下させる原因となってしまうという問題点があった。
【００１４】
そこで、本発明は、上述した課題を解決するためになされたものであり、イントラ予測
において、下側又は右側の参照画素を用いる場合であっても、エントロピーの増大を低減
させることができる符号化装置、復号装置及びプログラムを提供することを目的とする。
【課題を解決するための手段】
【００１５】
本発明の第１の特徴は、動画像を構成するフレーム単位の原画像を符号化対象ブロック
に分割して符号化するように構成されている符号化装置であって、イントラ予測モードを
用いて予測画像を生成するように構成されているイントラ予測部と、前記予測画像と原画
像との差分により残差信号を生成するように構成されている残差信号生成部と、前記イン
トラ予測部が、右側及び下側の少なくとも一方に位置する参照画素を用いて前記予測画像
を生成した場合に、前記残差信号に対して、水平方向及び垂直方向の少なくとも一方の基
底を反転させた上で直交変換処理を施すように構成されている直交変換部とを具備するこ
とを要旨とする。
【００１６】
本発明の第２の特徴は、動画像を構成するフレーム単位の原画像を符号化対象ブロック
に分割して復号するように構成されている復号装置であって、イントラ予測モードを用い
て予測画像を生成するように構成されているイントラ予測部と、前記イントラ予測部が、
右側及び下側の少なくとも一方に位置する参照画素を用いて前記予測画像を生成した場合
に、水平方向及び垂直方向の少なくとも一方の基底を反転させた上で変換係数に対して逆
直交変換処理を施すことによって残差信号を生成するように構成されている逆変換部とを
具備することを要旨とする。
【００１７】
本発明の第３の特徴は、動画像を構成するフレーム単位の原画像を符号化対象ブロック
に分割して符号化するように構成されている符号化装置であって、イントラ予測モードを
用いて予測画像を生成するように構成されているイントラ予測部と、前記予測画像と原画
像との差分により残差信号を生成するように構成されている残差信号生成部と、前記イン
トラ予測部が、右側及び下側の少なくとも一方に位置する参照画素を用いて前記予測画像
を生成した場合に、前記残差信号を水平方向及び垂直方向の少なくとも一方に反転した上
で直交変換処理を施すように構成されている直交変換部とを具備することを要旨とする。
【００１８】
本発明の第４の特徴は、動画像を構成するフレーム単位の原画像を符号化対象ブロック
に分割して復号するように構成されている復号装置であって、イントラ予測モードを用い
て予測画像を生成するように構成されているイントラ予測部と、前記イントラ予測部が、
右側及び下側の少なくとも一方に位置する参照画素を用いて前記予測画像を生成した場合
に、変換係数に逆直交変換処理を施すことで得られる信号を水平方向及び垂直方向の少な
くとも一方に反転することによって残差信号を生成するように構成されている逆変換部と
を具備することを要旨とする。
【００１９】
本発明の第５の特徴は、コンピュータを、上述の第１又は第３の特徴に記載の符号化装
置として機能させるためのプログラムであることを要旨とする。
【００２０】
本発明の第６の特徴は、コンピュータを、上述の第２又は第４の特徴に記載の復号装置
として機能させるためのプログラムであることを要旨とする。
【発明の効果】
【００２１】
本発明によれば、イントラ予測において、下側又は右側の参照画素を用いる場合であっ
ても、エントロピーの増大を低減させることができる符号化装置、復号装置及びプログラ
ムを提供することができる。
【図面の簡単な説明】
【００２２】
【図１】図１は、第１の実施形態に係る符号化装置１の機能ブロック図である。
【図２】図２は、第１の実施形態においてＴＵ分割が行われる場合のイントラ予測の一例を示す図である。
【図３】図３は、第１の実施形態に係る符号化装置１の動作を示すフローチャートである。
【図４】図４は、第１の実施形態に係る復号装置３の機能ブロック図である。
【図５】図５は、第１の実施形態に係る復号装置３の動作を示すフローチャートである。
【図６】図６は、第２の実施形態に係る符号化装置１の動作を示すフローチャートである。
【図７】図７は、第２の実施形態に係る復号装置３の動作を示すフローチャートである。
【図８】図８は、従来のＨＥＶＣについて説明するための図である。
【図９】図９は、従来のＨＥＶＣについて説明するための図である。
【図１０】図１０は、従来のＨＥＶＣについて説明するための図である。
【図１１】図１１は、従来のＨＥＶＣについて説明するための図である。
【発明を実施するための形態】
【００２３】
（第１の実施形態）
以下、図１〜図５を参照して、本発明の第１の実施形態に係る符号化装置１及び復号装
置３について説明する。ここで、本実施形態に係る符号化装置１及び復号装置３は、ＨＥ
ＶＣ等の動画像符号化方式におけるイントラ予測に対応するように構成されている。なお
、本実施形態に係る符号化装置１及び復号装置３は、イントラ予測を行う動画像符号化方
式であれば、任意の動画像符号化方式に対応することができるように構成されている。
【００２４】
本実施形態に係る符号化装置１は、動画像を構成するフレーム単位の原画像をＣＵに分
割して符号化するように構成されている。また、本実施形態に係る符号化装置１は、ＣＵ
を複数のＴＵに分割することができるように構成されていてもよい。以下、本実施形態で
は、ＣＵを複数のＴＵに分割するケースを例に挙げて説明するが、本発明は、ＣＵを複数
のＴＵに分割しないケースにも適用可能である。
【００２５】
なお、本実施形態では、フレーム内で最も左上に位置するＣＵ等、隣接する復号済み参
照画素が存在しない符号化対象のＣＵでは、規定した値（１０ビットの動画像であれば「
５１２」）を埋める処理により、予測画像を生成する際に用いる参照画素を作り出すよう
に構成されているため、符号化対象のＣＵの左側に隣接する画素について全て参照画素と
することができるものとする。
【００２６】
図１に示すように、本実施形態に係る符号化装置１は、イントラ予測モード決定部１１
と、ＴＵ分割決定部１２と、符号化順制御部１３と、逐次局部復号画像生成部１４と、メ
モリ１５と、エントロピー符号化部１６とを具備している。
【００２７】
イントラ予測モード決定部１１は、ＣＵに適用する最適なイントラ予測モードを決定す
るように構成されている。
【００２８】
ＴＵ分割決定部１２は、ＣＵを複数のＴＵに分割するか否かについて決定するように構
成されている。なお、本実施形態では、ＣＵを複数のＴＵに分割する方法として、４分割
のケースを例に挙げて説明しているが、ＣＵを複数のＴＵに分割する際の分割数や分割形
状については、かかるケースに制限されるものではない。
【００２９】
符号化順制御部１３は、イントラ予測モード（例えば、イントラ予測モードの方向）に
基づいてＣＵ内のＴＵの符号化順を決定するように構成されている。
【００３０】
具体的には、符号化順制御部１３は、ＴＵ分割決定部１２によってＣＵを複数のＴＵに
分割することが決定された場合に、図２（ａ）〜図２（ｄ）に示すように、イントラ予測
モード決定部１１によって決定されたイントラ予測モードの方向が左下から右上に向かう
方向である場合（すなわち、左下から右上に向かって方向予測が行われる場合）に、ＣＵ
内のＴＵの符号化順として、従来のラスタースキャン順（図８（ａ）に示すようなＺ型）
でなく、ＴＵ＃Ａ３（ＣＵ＃Ａ内の左下のＴＵ）→ＴＵ＃Ａ４（ＣＵ＃Ａ内の右下のＴＵ
）→ＴＵ＃Ａ１（ＣＵ＃Ａ内の左上のＴＵ）→ＴＵ＃Ａ２（ＣＵ＃Ａ内の右上のＴＵ）と
いう符号化順、或いは、ＴＵ＃Ａ３（ＣＵ＃Ａ内の左下のＴＵ）→ＴＵ＃Ａ１（ＣＵ＃Ａ
内の左上のＴＵ）→ＴＵ＃Ａ４（ＣＵ＃Ａ内の右下のＴＵ）→ＴＵ＃Ａ２（ＣＵ＃Ａ内の
右上のＴＵ）という符号化順のうち、予め規定した符号化順を採用するように構成されて
いてもよい。
【００３１】
また、符号化順制御部１３は、ＴＵ分割決定部１２によってＣＵを複数のＴＵに分割す
ることが決定された場合で、且つ、イントラ予測モード決定部１１によって決定されたイ
ントラ予測モードの方向が右上から左下に向かう方向である場合（すなわち、右上から左
下に向かって方向予測が行われる場合）に、従来のラスタースキャン順（図８（ａ）に示
すようなＺ型）でなく、ＴＵ＃Ａ２（ＣＵ＃Ａ内の右上のＴＵ）→ＴＵ＃Ａ４（ＣＵ＃Ａ
内の右下のＴＵ）→ＴＵ＃Ａ１（ＣＵ＃Ａ内の左上のＴＵ）→ＴＵ＃Ａ３（ＣＵ＃Ａ内の
左下のＴＵ）という符号化順、或いは、ＴＵ＃Ａ２（ＣＵ＃Ａ内の右上のＴＵ）→ＴＵ＃
Ａ１（ＣＵ＃Ａ内の左上のＴＵ）→ＴＵ＃Ａ４（ＣＵ＃Ａ内の右下のＴＵ）→ＴＵ＃Ａ３
（ＣＵ＃Ａ内の左下のＴＵ）という符号化順のうち、予め規定した符号化順を採用するよ
うに構成されていてもよい。
【００３２】
逐次局部復号画像生成部１４は、符号化順制御部１３によって決定された符号化順及び
ＣＵのＴＵへの分割方法に基づいて局部復号画像（ＴＵごとの復号画像）を生成するよう
に構成されている。
【００３３】
具体的には、逐次局部復号画像生成部１４は、ＴＵ分割決定部１２によってＣＵを複数
のＴＵに分割することが決定された場合に、符号化順制御部１３により決定された符号化
順に従って、逐次、局部復号画像を生成するように構成されている。
【００３４】
図１に示すように、逐次局部復号画像生成部１４は、イントラ予測部１４ａと、残差信
号生成部１４ｂと、直交変換・量子化部１４ｃと、逆量子化部・逆直交変換部１４ｄと、
局部復号画像生成部１４ｅとを具備している。
【００３５】
イントラ予測部１４ａは、イントラ予測モード決定部１１により決定されたイントラ予
測モードを用いて予測画像を生成するように構成されている。すなわち、イントラ予測部
１４ａは、予測画像を生成する際に用いる参照画素の位置を決定するように構成されてい
る。
【００３６】
具体的には、イントラ予測部１４ａは、ＴＵ分割決定部１２によってＣＵを複数のＴＵ
に分割することが決定された場合で、図２（ａ）〜図２（ｄ）に示すように、イントラ予
測モードの方向（予測方向）が左下から右上に向かう方向である場合、ＴＵ＃Ａ３（ＣＵ
＃Ａ内の左下のＴＵ）→ＴＵ＃Ａ４（ＣＵ＃Ａ内の右下のＴＵ）→ＴＵ＃Ａ１（ＣＵ＃Ａ
内の左上のＴＵ）→ＴＵ＃Ａ２（ＣＵ＃Ａ内の右上のＴＵ）という符号化順、或いは、Ｔ
Ｕ＃Ａ３（ＣＵ＃Ａ内の左下のＴＵ）→ＴＵ＃Ａ１（ＣＵ＃Ａ内の左上のＴＵ）→ＴＵ＃
Ａ４（ＣＵ＃Ａ内の右下のＴＵ）→ＴＵ＃Ａ２（ＣＵ＃Ａ内の右上のＴＵ）という符号化
順のうち、予め規定した符号化順で、予測画像を生成するように構成されていてもよい。
【００３７】
ここで、イントラ予測部１４ａは、図２（ｃ）及び図２（ｄ）に示すように、隣接する
下側の参照画素が復号されているＴＵ＃Ａ１（ＣＵ＃Ａ内の左上のＴＵ）及びＴＵ＃Ａ２
（ＣＵ＃Ａ内の右上のＴＵ）については、左側及び下側に隣接する復号済み参照画素を用
いて予測画像を生成するように構成されていてもよい。
【００３８】
また、本実施形態に係る符号化装置１では、イントラ予測部１４ａは、ＴＵ分割決定部
１２によってＣＵを複数のＴＵに分割することが決定された場合で、且つ、イントラ予測
モードの方向（予測方向）が右上から左下に向かう方向である場合、ＴＵ＃Ａ２（ＣＵ＃
Ａ内の右上のＴＵ）→ＴＵ＃Ａ４（ＣＵ＃Ａ内の右下のＴＵ）→ＴＵ＃Ａ１（ＣＵ＃Ａ内
の左上のＴＵ）→ＴＵ＃Ａ３（ＣＵ＃Ａ内の左下のＴＵ）という符号化順、或いは、ＴＵ
＃Ａ２（ＣＵ＃Ａ内の右上のＴＵ）→ＴＵ＃Ａ１（ＣＵ＃Ａ内の左上のＴＵ）→ＴＵ＃Ａ
４（ＣＵ＃Ａ内の右下のＴＵ）→ＴＵ＃Ａ３（ＣＵ＃Ａ内の左下のＴＵ）という符号化順
のうち、予め規定した符号化順で、予測画像を生成するように構成されていてもよい。
【００３９】
ここで、イントラ予測部１４ａは、隣接する右側の参照画素が復号されているＴＵ＃Ａ
１（ＣＵ＃Ａ内の左上のＴＵ）及びＴＵ＃Ａ３（ＣＵ＃Ａ内の左下のＴＵ）については、
上側及び右側に隣接する復号済み参照画素を用いて、予測画像を生成するように構成され
ていてもよい。
【００４０】
或いは、イントラ予測部１４ａは、ＴＵ＃Ａ３（ＣＵ＃Ａ内の左下のＴＵ）→ＴＵ＃Ａ
４（ＣＵ＃Ａ内の右下のＴＵ）→ＴＵ＃Ａ１（ＣＵ＃Ａ内の左上のＴＵ）→ＴＵ＃Ａ２（
ＣＵ＃Ａ内の右上のＴＵ）という符号化順、或いは、ＴＵ＃Ａ３（ＣＵ＃Ａ内の左下のＴ
Ｕ）→ＴＵ＃Ａ１（ＣＵ＃Ａ内の左上のＴＵ）→ＴＵ＃Ａ４（ＣＵ＃Ａ内の右下のＴＵ）
→ＴＵ＃Ａ２（ＣＵ＃Ａ内の右上のＴＵ）という符号化順が用いられる場合には、上側に
隣接する参照画素が復号済みであるＴＵ（分割されたＴＵ群のうち最上段に位置するＴＵ
、図２の例では、ＴＵ＃Ａ１及びＴＵ＃Ａ２）については、ＣＵ＃Ａ内で共通のイントラ
予測方向でなく、かかるＴＵの左側や上側や下側に隣接する復号済み参照画素を用いた線
形補間等の予め規定した予測を行うように構成されていてもよい。
【００４１】
すなわち、イントラ予測部１４ａは、下側、左側及び上側といった３方向に隣接する復
号済み参照画素を用いて、予測画像を生成するように構成されていてもよい。
【００４２】
或いは、イントラ予測部１４ａは、右側、左側及び上側といった３方向に隣接する復号
済み参照画素を用いて、予測画像を生成するように構成されていてもよい。
【００４３】
残差信号生成部１４ｂは、イントラ予測部１４ａによって生成された予測画像と原画像
との差分により残差信号を生成するように構成されている。
【００４４】
直交変換・量子化部１４ｃは、残差信号生成部１４ｂによって生成された残差信号に対
して直交変換処理及び量子化処理を施し、量子化された変換係数を生成するように構成さ
れている。
【００４５】
ここで、直交変換・量子化部１４ｃは、イントラ予測部１４ａによって決定された予測
画像を生成する際に用いる参照画素の位置に基づいて、直交変換処理に用いる基底を反転
させるか否かについて判定するように構成されている。
【００４６】
例えば、イントラ予測部１４ａが、右側及び下側の少なくとも一方に位置する参照画素
（すなわち、右側及び下側の少なくとも一方に隣接する参照画素）を用いて予測画像を生
成した場合に、直交変換・量子化部１４ｃは、残差信号生成部１４ｂによって生成された
残差信号に対して、垂直方向及び水平方向の少なくとも一方の基底を反転させた上で直交
変換処理を施すように構成されている。
【００４７】
一方、イントラ予測部１４ａが、右側及び下側のいずれに位置する参照画素を用いても
予測画像を生成していない場合には、直交変換・量子化部１４ｃは、残差信号生成部１４
ｂによって生成された残差信号に対して、基底を反転させることなく直交変換処理を施す
ように構成されている。
【００４８】
例えば、イントラ予測部１４ａが、左側及び下側に位置する参照画素を用いて予測画像
を生成した場合に、直交変換・量子化部１４ｃは、垂直方向の基底を反転した上で直交変
換処理を施すように構成されていてもよい。
【００４９】
また、イントラ予測部１４ａが、右側及び上側に位置する参照画素を用いて予測画像を
生成した場合に、直交変換・量子化部１４ｃは、水平方向の基底を反転した上で直交変換
処理を施すように構成されていてもよい。
【００５０】
さらに、イントラ予測部１４ａが、右側及び下側に位置する参照画素を用いて予測画像
を生成した場合に、直交変換・量子化部１４ｃは、垂直方向及び水平方向の基底を反転し
た上で直交変換処理を施すように構成されていてもよい。
【００５１】
なお、イントラ予測部１４ａが、右側及び下側の少なくとも一方に位置する参照画素を
用いて予測画像を生成した場合で、且つ、適用する直交変換処理が、非対称な直交変換処
理（例えば、ＤＳＴ等）である場合に、直交変換・量子化部１４ｃは、残差信号生成部１
４ｂによって生成された残差信号に対して、直交変換処理に用いる垂直方向及び水平方向
の少なくとも一方の基底を反転させるように構成されていてもよい。
【００５２】
すなわち、イントラ予測部１４ａが、右側及び下側の少なくとも一方に位置する参照画
素を用いて予測画像を生成した場合であっても、適用する直交変換処理が、対称な直交変
換処理（例えば、ＤＣＴ等）である場合に、直交変換・量子化部１４ｃは、残差信号生成
部１４ｂによって生成された残差信号に対して、直交変換処理に用いる基底を反転させな
いように構成されていてもよい。
【００５３】
また、イントラ予測部１４ａが、下側、左側及び上側といった３方向に隣接する参照画
素を用いて予測画像を生成した場合、直交変換・量子化部１４ｃは、残差信号生成部１４
ｂによって生成された残差信号に対して、直交変換処理に用いる基底を反転させないよう
に構成されていてもよい。
【００５４】
かかる構成によれば、残差信号において、参照画素に近い上側及び下側のどちらにおい
ても信号強度が低くなっている可能性が高いため、上述の反転処理を行わないことで、符
号化装置１の処理量を低減することができる。
【００５５】
また、イントラ予測部１４ａが、右側、左側及び上側といった３方向に隣接する参照画
素を用いて予測画像を生成した場合、直交変換・量子化部１４ｃは、残差信号生成部１４
ｂによって生成された残差信号に対して、直交変換処理に用いる基底を反転させないよう
に構成されていてもよい。
【００５６】
かかる構成によれば、残差信号において、参照画素に近い右側及び左側のどちらにおい
ても信号強度が低くなっている可能性が高いため、上述の反転処理を行わないことで、符
号化装置１の処理量を低減することができる。
【００５７】
逆量子化部・逆直交変換部１４ｄは、直交変換・量子化部１４ｃによって生成された量
子化された変換係数に対して、再び逆量子化処理及び逆直交変換処理を施し、残差信号を
生成するように構成されている。
【００５８】
ここで、直交変換・量子化部１４ｃが、直交変換処理で用いる基底を反転している場合
には、逆量子化部・逆直交変換部１４ｄは、基底を反転した上で逆直交変換処理を施すよ
うに構成されている。
【００５９】
局部復号画像生成部１４ｅは、逆量子化部・逆直交変換部１４ｄによって生成された残
差信号に対してイントラ予測部１４ａによって生成された予測画像を加えることで局部復
号画像を生成するように構成されている。
【００６０】
メモリ１５は、逐次局部復号画像生成部１４によって生成された局部復号画像を参照画
像として利用可能に保持するように構成されている。
【００６１】
エントロピー符号化部１６は、イントラ予測モード決定部１１によって決定されたイン
トラ予測モード等を含むフラグ情報や量子化された変換係数に対してエントロピー符号化
処理を施してストリーム出力するように構成されている。
【００６２】
図３に、本実施形態に係る符号化装置１の動作の一例について説明するためのフローチ
ャートについて示す。
【００６３】
図３に示すように、ステップＳ１０１において、符号化装置１は、ＣＵに適用する最適
なイントラ予測モードを決定する。
【００６４】
ステップＳ１０２において、符号化装置１は、ＣＵを複数のＴＵに分割するか否かにつ
いて決定する。ステップＳ１０２において、ＣＵを複数のＴＵに分割すると決定された場
合には、本動作は、ステップＳ１０３に進む。一方、ステップＳ１０２において、ＣＵを
複数のＴＵに分割しないと決定された場合には、本動作は、ステップＳ１０８に進む。
【００６５】
ステップＳ１０３において、イントラ予測モードの方向が左下から右上に向かう方向或
いは右上から左下に向かう方向であると決定された場合には、本動作は、ステップＳ１０
５に進む。一方、ステップＳ１０３において、イントラ予測モードの方向が左下から右上
に向かう方向及び右上から左下に向かう方向以外であると決定された場合には、本動作は
、ステップＳ１０４に進む。
【００６６】
ステップＳ１０４において、符号化装置１は、上述の符号化順として、従来のＨＥＶＣ
で用いられているラスタースキャン順（図８（ａ）に示すようなＺ型）を採用する。
【００６７】
ステップＳ１０８において、符号化装置１は、符号化対象のＴＵに対して、かかるＴＵ
の左側及び上側に隣接する復号済み参照画素を用いて、予め規定した予測を行う。
【００６８】
イントラ予測モードの方向が左下から右上に向かう方向であると決定された場合（ステ
ップＳ１０５）には、ステップＳ１０６において、符号化装置１は、上述の符号化順とし
て、ＴＵ＃Ａ３（ＣＵ＃Ａ内の左下のＴＵ）→ＴＵ＃Ａ４（ＣＵ＃Ａ内の右下のＴＵ）→
ＴＵ＃Ａ１（ＣＵ＃Ａ内の左上のＴＵ）→ＴＵ＃Ａ２（ＣＵ＃Ａ内の右上のＴＵ）という
符号化順、或いは、ＴＵ＃Ａ３（ＣＵ＃Ａ内の左下のＴＵ）→ＴＵ＃Ａ１（ＣＵ＃Ａ内の
左上のＴＵ）→ＴＵ＃Ａ４（ＣＵ＃Ａ内の右下のＴＵ）→ＴＵ＃Ａ２（ＣＵ＃Ａ内の右上
のＴＵ）という符号化順のうち、予め規定した符号化順を採用する。
【００６９】
一方、イントラ予測モードの方向が左下から右上に向かう方向でないと決定された場合
（ステップＳ１０５）には、ステップＳ１１１において、符号化装置１は、上述の符号化
順として、ＴＵ＃Ａ２（ＣＵ＃Ａ内の右上のＴＵ）→ＴＵ＃Ａ４（ＣＵ＃Ａ内の右下のＴ
Ｕ）→ＴＵ＃Ａ１（ＣＵ＃Ａ内の左上のＴＵ）→ＴＵ＃Ａ３（ＣＵ＃Ａ内の左下のＴＵ）
という符号化順、或いは、ＴＵ＃Ａ２（ＣＵ＃Ａ内の右上のＴＵ）→ＴＵ＃Ａ１（ＣＵ＃
Ａ内の左上のＴＵ）→ＴＵ＃Ａ４（ＣＵ＃Ａ内の右下のＴＵ）→ＴＵ＃Ａ３（ＣＵ＃Ａ内
の左下のＴＵ）という符号化順のうち、予め規定した符号化順を採用する。
【００７０】
ステップＳ１０７において、符号化装置１は、符号化対象のＴＵの上側に隣接する参照
画素が復号済みであるか否かについて判定する。ステップＳ１０７において、復号済みで
ある場合、本動作は、ステップＳ１０９に進み、復号済みでない場合、本動作は、ステッ
プＳ１１０に進む。
【００７１】
ステップＳ１０９において、符号化装置１は、符号化対象のＴＵに対して、かかるＴＵ
の左側及び上側及び下側に隣接する復号済み参照画素を用いて、予め規定した予測を行う
。
【００７２】
ステップＳ１１０において、符号化装置１は、符号化対象のＴＵに対して、かかるＴＵ
の左側及び下側に隣接する復号済み参照画素を用いて、予め規定した予測を行う。
【００７３】
ステップＳ１１２において、符号化装置１は、符号化対象のＴＵの左側に隣接する参照
画素が復号済みであるか否かについて判定する。ステップＳ１１２において、復号済みで
ある場合、本動作は、ステップＳ１１３に進み、復号済みでない場合、本動作は、ステッ
プＳ１１４に進む。
【００７４】
ステップＳ１１３において、符号化装置１は、符号化対象のＴＵに対して、かかるＴＵ
の左側及び上側及び右側に隣接する復号済み参照画素を用いて、予め規定した予測を行う
。
【００７５】
ステップＳ１１４において、符号化装置１は、符号化対象のＴＵに対して、かかるＴＵ
の右側及び上側に隣接する復号済み参照画素を用いて、予め規定した予測を行う。
【００７６】
ステップＳ１１５において、符号化装置１は、残差信号に対して、基底を反転させた上
で直交変換処理を施し、その後の処理を行う。
【００７７】
ステップＳ１１６において、符号化装置１は、残差信号に対して、基底を反転させるこ
となく直交変換処理を施し、その後の処理を行う。
【００７８】
本実施形態に係る符号化装置１によれば、右側及び下側の少なくとも一方に位置する参
照画素を用いて予測画像を生成した場合には、残差信号に対して、基底を反転させた上で
直交変換処理を施すように構成されているため、エントロピーの増大を低減させることが
できる。
【００７９】
また、本実施形態に係る復号装置３は、動画像を構成するフレーム単位の原画像をＣＵ
に分割して復号するように構成されている。また、本実施形態に係る復号装置３は、本実
施形態に係る符号化装置１と同様に、ＣＵを複数のＴＵに分割することができるように構
成されている。
【００８０】
図４に示すように、本実施形態に係る復号装置３は、エントロピー復号部３１と、復号
順制御部３２と、逐次局部復号画像生成部３３と、メモリ３４とを具備している。
【００８１】
エントロピー復号部３１は、符号化装置１から出力されたストリームから、変換係数や
フラグ情報等を復号するように構成されている。ここで、変換係数は、符号化装置１によ
って、フレーム単位の原画像をＣＵに分割して符号化された信号として得られた量子化さ
れた変換係数である。また、フラグ情報は、予測モード等の付随する情報を含む。
【００８２】
復号順制御部３２は、イントラ予測モードに基づいてＣＵ内のＴＵの復号順を決定する
ように構成されている。
【００８３】
具体的には、復号順制御部３２は、エントロピー復号部３１によって出力されたＴＵ分
割が行われた否か（ＣＵが複数のＴＵに分割されているか否か）について示すフラグ及び
イントラ予測モードの方向に応じて、ＣＵ内のＴＵの復号順を決定するように構成されて
いる。
【００８４】
例えば、復号順制御部３２は、符号化順制御部１３と同様に、ＣＵが複数のＴＵに分割
されている場合で、且つ、イントラ予測モードの方向が左下から右上に向かう方向である
場合、ＴＵ＃Ａ３（ＣＵ＃Ａ内の左下のＴＵ）→ＴＵ＃Ａ４（ＣＵ＃Ａ内の右下のＴＵ）
→ＴＵ＃Ａ１（ＣＵ＃Ａ内の左上のＴＵ）→ＴＵ＃Ａ２（ＣＵ＃Ａ内の右上のＴＵ）とい
う復号順、或いは、ＴＵ＃Ａ３（ＣＵ＃Ａ内の左下のＴＵ）→ＴＵ＃Ａ１（ＣＵ＃Ａ内の
左上のＴＵ）→ＴＵ＃Ａ４（ＣＵ＃Ａ内の右下のＴＵ）→ＴＵ＃Ａ２（ＣＵ＃Ａ内の右上
のＴＵ）という復号順のうち、予め規定した復号順で、復号処理を行うように構成されて
いてもよい。
【００８５】
また、復号順制御部３２は、符号化順制御部１３と同様に、ＣＵが複数のＴＵに分割さ
れている場合で、且つ、イントラ予測モードの方向が右上から左下に向かう方向である場
合、ＴＵ＃Ａ２（ＣＵ＃Ａ内の右上のＴＵ）→ＴＵ＃Ａ４（ＣＵ＃Ａ内の右下のＴＵ）→
ＴＵ＃Ａ１（ＣＵ＃Ａ内の左上のＴＵ）→ＴＵ＃Ａ３（ＣＵ＃Ａ内の左下のＴＵ）という
復号順、或いは、ＴＵ＃Ａ２（ＣＵ＃Ａ内の右上のＴＵ）→ＴＵ＃Ａ１（ＣＵ＃Ａ内の左
上のＴＵ）→ＴＵ＃Ａ４（ＣＵ＃Ａ内の右下のＴＵ）→ＴＵ＃Ａ３（ＣＵ＃Ａ内の左下の
ＴＵ）というという復号順のうち、予め規定した復号順で、復号処理を行うように構成さ
れていてもよい。
【００８６】
逐次局部復号画像生成部３３は、復号順制御部３２によって決定された復号順及びＣＵ
のＴＵへの分割方法に基づいて局部復号画像（ＴＵごとの復号画像）を生成するように構
成されている。
【００８７】
具体的には、逐次局部復号画像生成部３３は、ＣＵが複数のＴＵに分割されている場合
に、復号順制御部３２によって決定された復号順に従って、エントロピー復号部３１によ
って出力された量子化された変換係数に対して、逐次、イントラ予測や逆量子化処理や逆
直交変換処理を行うことによって、局部復号画像を生成するように構成されている。
【００８８】
図４に示すように、逐次局部復号画像生成部３３は、イントラ予測部３３ａと、逆量子
化・逆変換部３３ｂと、復号画像生成部３３ｃとを具備している。
【００８９】
イントラ予測部３３ａは、復号順制御部３２によって決定した復号順に従って、エント
ロピー復号部３１によって出力されたイントラ予測モードを用いて、予測画像を生成する
ように構成されていてもよい。
【００９０】
具体的には、イントラ予測部３３ａは、ＣＵが複数のＴＵに分割されている場合で、且
つ、イントラ予測モードの方向が左下から右上に向かう方向である場合、ＴＵ＃Ａ３（Ｃ
Ｕ＃Ａ内の左下のＴＵ）→ＴＵ＃Ａ４（ＣＵ＃Ａ内の右下のＴＵ）→ＴＵ＃Ａ１（ＣＵ＃
Ａ内の左上のＴＵ）→ＴＵ＃Ａ２（ＣＵ＃Ａ内の右上のＴＵ）という復号順、或いは、Ｔ
Ｕ＃Ａ３（ＣＵ＃Ａ内の左下のＴＵ）→ＴＵ＃Ａ１（ＣＵ＃Ａ内の左上のＴＵ）→ＴＵ＃
Ａ４（ＣＵ＃Ａ内の右下のＴＵ）→ＴＵ＃Ａ２（ＣＵ＃Ａ内の右上のＴＵ）という復号順
のうち、予め規定した復号順で、予測画像を生成するように構成されていてもよい。
【００９１】
ここで、イントラ予測部３３ａは、図２（ｃ）及び図２（ｄ）に示すように、隣接する
下側の参照画素が復号されているＴＵ＃Ａ１（ＣＵ＃Ａ内の左上のＴＵ）及びＴＵ＃Ａ２
（ＣＵ＃Ａ内の右上のＴＵ）については、左側及び下側に隣接する復号済み参照画素を用
いて予測画像を生成するように構成されていてもよい。
【００９２】
また、本実施形態に係る復号装置３では、イントラ予測部３３ａは、ＣＵが複数のＴＵ
に分割されている場合で、且つ、イントラ予測モードの方向（予測方向）が右上から左下
に向かう方向である場合、ＴＵ＃Ａ２（ＣＵ＃Ａ内の右上のＴＵ）→ＴＵ＃Ａ４（ＣＵ＃
Ａ内の右下のＴＵ）→ＴＵ＃Ａ１（ＣＵ＃Ａ内の左上のＴＵ）→ＴＵ＃Ａ３（ＣＵ＃Ａ内
の左下のＴＵ）という復号順、或いは、ＴＵ＃Ａ２（ＣＵ＃Ａ内の右上のＴＵ）→ＴＵ＃
Ａ１（ＣＵ＃Ａ内の左上のＴＵ）→ＴＵ＃Ａ４（ＣＵ＃Ａ内の右下のＴＵ）→ＴＵ＃Ａ３
（ＣＵ＃Ａ内の左下のＴＵ）という復号順のうち、予め規定した復号順で、予測画像を生
成するように構成されていてもよい。
【００９３】
ここで、イントラ予測部３３ａは、隣接する右側の参照画素が復号されているＴＵ＃Ａ
１（ＣＵ＃Ａ内の左上のＴＵ）及びＴＵ＃Ａ３（ＣＵ＃Ａ内の左下のＴＵ）については、
上側及び右側に隣接する復号済み参照画素を用いて予測画像を生成するように構成されて
いてもよい。
【００９４】
或いは、イントラ予測部３３ａは、ＴＵ＃Ａ３（ＣＵ＃Ａ内の左下のＴＵ）→ＴＵ＃Ａ
４（ＣＵ＃Ａ内の右下のＴＵ）→ＴＵ＃Ａ１（ＣＵ＃Ａ内の左上のＴＵ）→ＴＵ＃Ａ２（
ＣＵ＃Ａ内の右上のＴＵ）という復号順、或いは、ＴＵ＃Ａ３（ＣＵ＃Ａ内の左下のＴＵ
）→ＴＵ＃Ａ１（ＣＵ＃Ａ内の左上のＴＵ）→ＴＵ＃Ａ４（ＣＵ＃Ａ内の右下のＴＵ）→
ＴＵ＃Ａ２（ＣＵ＃Ａ内の右上のＴＵ）という復号順が用いられる場合には、上側に隣接
する参照画素が復号済みであるＴＵ（分割されたＴＵ群のうち最上段に位置するＴＵ、図
２の例では、ＴＵ＃Ａ１及びＴＵ＃Ａ２）については、ＣＵ＃Ａ内で共通のイントラ予測
方向でなく、かかるＴＵの左側や上側や下側に隣接する復号済み参照画素を用いた線形補
間等の予め規定した予測を行うように構成されていてもよい。
【００９５】
逆量子化・逆変換部３３ｂは、エントロピー復号部３１によって出力された量子化され
た変換係数に対して逆量子化処理及び逆変換処理（例えば、逆直交変換処理）を施すこと
によって、残差信号を生成するように構成されている。
【００９６】
例えば、イントラ予測部３３ａが、右側及び下側の少なくとも一方に位置する参照画素
（すなわち、右側及び下側の少なくとも一方に隣接する参照画素）を用いて予測画像を生
成した場合に、逆量子化・逆変換部３３ｂは、垂直方向及び水平方向の少なくとも一方の
基底を反転させた上で、上述の変換係数に対して逆直交変換処理を施すことによって残差
信号を生成するように構成されている。
【００９７】
一方、イントラ予測部３３ａが、右側及び下側のいずれに位置する参照画素を用いても
予測画像を生成していない場合には、逆量子化・逆変換部３３ｂは、基底を反転させるこ
となく、上述の変換係数に対して逆直交変換処理を施すことによって残差信号を生成する
ように構成されている。
【００９８】
例えば、イントラ予測部３３ａが、左側及び下側に位置する参照画素を用いて予測画像
を生成した場合に、逆量子化・逆変換部３３ｂは、垂直方向の基底を反転させた上で、上
述の変換係数に対して逆直交変換処理を施すことによって残差信号を生成するように構成
されていてもよい。
【００９９】
また、イントラ予測部３３ａが、右側及び上側に位置する参照画素を用いて予測画像を
生成した場合に、逆量子化・逆変換部３３ｂは、水平方向の基底を反転させた上で、上述
の変換係数に対して逆直交変換処理を施すことによって残差信号を生成するように構成さ
れていてもよい。
【０１００】
さらに、イントラ予測部３３ａが、右側及び下側に位置する参照画素を用いて予測画像
を生成した場合に、逆量子化・逆変換部３３ｂは、垂直方向及び水平方向の基底を反転さ
せた上で、上述の変換係数に対して逆直交変換処理を施すことによって残差信号を生成す
るように構成されていてもよい。
【０１０１】
なお、イントラ予測部３３ａが、右側及び下側の少なくとも一方に位置する参照画素を
用いて予測画像を生成した場合で、且つ、適用する直交変換処理が、非対称な直交変換処
理（例えば、ＤＳＴ等）である場合に、逆量子化・逆変換部３３ｂは、基底を反転させた
上で、上述の変換係数に対して逆直交変換処理を施すことによって残差信号を生成するよ
うに構成されていてもよい。
【０１０２】
すなわち、イントラ予測部３３ａが、右側及び下側の少なくとも一方に位置する参照画
素を用いて予測画像を生成した場合であっても、適用する直交変換処理が、対称な直交変
換処理（例えば、ＤＣＴ等）である場合に、逆量子化・逆変換部３３ｂは、基底を反転さ
せることなく、上述の変換係数に対して逆直交変換処理を施すことによって残差信号を生
成するように構成されていてもよい。
【０１０３】
また、イントラ予測部３３ａが、下側、左側及び上側といった３方向に隣接する参照画
素を用いて予測画像を生成した場合、逆量子化・逆変換部３３ｂは、上述の変換係数に対
して、逆直交変換処理に用いる基底を反転させないように構成されていてもよい。
【０１０４】
また、イントラ予測部３３ａが、右側、左側及び上側といった３方向に隣接する参照画
素を用いて予測画像を生成した場合、逆量子化・逆変換部３３ｂは、上述の変換係数に対
して、逆直交変換処理に用いる基底を反転させないように構成されていてもよい。
【０１０５】
復号画像生成部３３ｃは、イントラ予測部３３ａによって生成された予測画像と逆量子
化・逆変換部３３ｂによって生成された残差信号とを加えることで局部復号画像を生成す
るように構成されている。
【０１０６】
メモリ３４は、逐次局部復号画像生成部３３によって生成された局部復号画像を、イン
トラ予測及びインター予測のための参照画像として利用可能に保持するように構成されて
いる。
【０１０７】
図５に、本実施形態に係る復号装置３によって、上述の復号順を決定する動作の一例に
ついて説明するためのフローチャートについて示す。
【０１０８】
図５に示すように、ステップＳ２０１において、復号装置３は、符号化装置１から出力
されたストリームから、イントラ予測モードを取得する。
【０１０９】
ステップＳ２０２において、復号装置３は、符号化装置１から出力されたストリームに
含まれているフラグ情報に基づいて、ＣＵが複数のＴＵに分割されているか否かについて
判定する。ステップＳ２０２において、ＣＵが複数のＴＵに分割されていると判定された
場合には、本動作は、ステップＳ２０３に進む。一方、ステップＳ２０２において、ＣＵ
が複数のＴＵに分割されていないと判定された場合には、本動作は、ステップＳ２０５に
進む。
【０１１０】
ステップＳ２０５において、復号装置３は、復号対象のＴＵに対して、かかるＴＵの左
側及び上側に隣接する復号済み参照画素を用いて、予め規定した予測を行う。
【０１１１】
ステップＳ２０３において、復号装置３は、イントラ予測モードの方向が左下から右上
に向かう方向或いは右上から左下に向かう方向であるか否かについて判定する。ステップ
Ｓ２０３において、イントラ予測モードの方向が左下から右上に向かう方向或いは右上か
ら左下に向かう方向であると判定された場合には、本動作は、ステップＳ２０６に進む。
【０１１２】
一方、ステップＳ２０３において、イントラ予測モードの方向が左下から右上に向かう
方向及び右上から左下に向かう方向以外であると判定された場合には、本動作は、ステッ
プＳ２０４に進む。
【０１１３】
ステップＳ２０４において、復号装置３は、上述の復号順として、ＨＥＶＣで用いられ
ている従来のラスタースキャン順（図８（ａ）に示すようなＺ型）を採用する。
【０１１４】
イントラ予測モードの方向が左下から右上に向かう方向であると決定された場合（ステ
ップＳ２０６）には、ステップＳ２０７において、復号装置３は、上述の復号順として、
ＴＵ＃Ａ３（ＣＵ＃Ａ内の左下のＴＵ）→ＴＵ＃Ａ４（ＣＵ＃Ａ内の右下のＴＵ）→ＴＵ
＃Ａ１（ＣＵ＃Ａ内の左上のＴＵ）→ＴＵ＃Ａ２（ＣＵ＃Ａ内の右上のＴＵ）という復号
順、或いは、ＴＵ＃Ａ３（ＣＵ＃Ａ内の左下のＴＵ）→ＴＵ＃Ａ１（ＣＵ＃Ａ内の左上の
ＴＵ）→ＴＵ＃Ａ４（ＣＵ＃Ａ内の右下のＴＵ）→ＴＵ＃Ａ２（ＣＵ＃Ａ内の右上のＴＵ
）という復号順のうち、予め規定した復号順を採用する。
【０１１５】
一方、イントラ予測モードの方向が左下から右上に向かう方向でないと決定された場合
（ステップＳ２０６）には、ステップＳ２１１において、復号装置３は、上述の復号順と
して、ＴＵ＃Ａ２（ＣＵ＃Ａ内の右上のＴＵ）→ＴＵ＃Ａ４（ＣＵ＃Ａ内の右下のＴＵ）
→ＴＵ＃Ａ１（ＣＵ＃Ａ内の左上のＴＵ）→ＴＵ＃Ａ３（ＣＵ＃Ａ内の左下のＴＵ）とい
う復号順、或いは、ＴＵ＃Ａ２（ＣＵ＃Ａ内の右上のＴＵ）→ＴＵ＃Ａ１（ＣＵ＃Ａ内の
左上のＴＵ）→ＴＵ＃Ａ４（ＣＵ＃Ａ内の右下のＴＵ）→ＴＵ＃Ａ３（ＣＵ＃Ａ内の左下
のＴＵ）という復号順のうち、予め規定した復号順を採用する。
【０１１６】
ステップＳ２０８において、復号装置３は、復号対象のＴＵの上側に隣接する参照画素
が復号済みであるか否かについて判定する。ステップＳ２０８において、復号済みである
場合、本動作は、ステップＳ２０９に進み、復号済みでない場合、本動作は、ステップＳ
２１０に進む。
【０１１７】
ステップＳ２０９において、復号装置３は、復号対象のＴＵに対して、かかるＴＵの左
側及び上側及び下側に隣接する復号済み参照画素を用いて、予め規定した予測を行う。
【０１１８】
ステップＳ２１０において、復号装置３は、復号対象のＴＵに対して、かかるＴＵの左
側及び下側に隣接する復号済み参照画素を用いて、予め規定した予測を行う。
【０１１９】
ステップＳ２１２において、復号装置３は、復号対象のＴＵの左側に隣接する参照画素
が復号済みであるか否かについて判定する。ステップＳ２１２において、復号済みである
場合、本動作は、ステップＳ２１３に進み、復号済みでない場合、本動作は、ステップＳ
２１４に進む。
【０１２０】
ステップＳ２１３において、復号装置３は、復号対象のＴＵに対して、かかるＴＵの左
側及び上側及び右側に隣接する復号済み参照画素を用いて、予め規定した予測を行う。
【０１２１】
ステップＳ２１４において、復号装置３は、復号対象のＴＵに対して、かかるＴＵの右
側及び上側に隣接する復号済み参照画素を用いて、予め規定した予測を行う。
【０１２２】
ステップＳ２１５において、復号装置３は、垂直方向及び水平方向の少なくとも一方の
基底を反転させた上で、上述の変換係数に対して逆直交変換処理を施すことによって残差
信号を生成し、その後の処理を行う。
【０１２３】
ステップＳ２１６において、復号装置３は、基底を反転させることなく、上述の変換係
数に対して逆直交変換処理を施すことによって残差信号を生成し、その後の処理を行う。
【０１２４】
本実施形態に係る復号装置３によれば、右側及び下側の少なくとも一方に位置する参照
画素を用いて予測画像を生成した場合には、変換係数に対して、基底を反転させた上で逆
直交変換処理を施すように構成されているため、エントロピーの増大を低減させることが
できる。
【０１２５】
（第２の実施形態）
以下、図６及び図７を参照して、本発明の第２の実施形態に係る符号化装置１及び復号
装置３について、上述の第１の実施形態に係る符号化装置１及び復号装置３との相違点に
着目して説明する。
【０１２６】
本実施形態に係る符号化装置１では、イントラ予測部１４ａが、右側及び下側の少なく
とも一方に位置する参照画素を用いて予測画像を生成した場合に、直交変換・量子化部１
４ｃは、残差信号生成部１４ｂによって生成された残差信号を水平方向及び垂直方向の少
なくとも一方に反転した上で直交変換処理を施すように構成されている。
【０１２７】
例えば、イントラ予測部１４ａが、左側及び下側に位置する参照画素を用いて予測画像
を生成した場合に、直交変換・量子化部１４ｃは、残差信号生成部１４ｂによって生成さ
れた残差信号を垂直方向に反転した上で直交変換処理を施すように構成されていてもよい
。
【０１２８】
また、イントラ予測部１４ａが、右側及び上側に位置する参照画素を用いて予測画像を
生成した場合に、直交変換・量子化部１４ｃは、残差信号生成部１４ｂによって生成され
た残差信号を水平方向に反転した上で直交変換処理を施すように構成されていてもよい。
【０１２９】
さらに、イントラ予測部１４ａが、右側及び下側に位置する参照画素を用いて予測画像
を生成した場合に、直交変換・量子化部１４ｃは、残差信号生成部１４ｂによって生成さ
れた残差信号を垂直方向及び水平方向に反転した上で直交変換処理を施すように構成され
ていてもよい。
【０１３０】
なお、イントラ予測部１４ａが、右側及び下側の少なくとも一方に位置する参照画素を
用いて予測画像を生成した場合で、且つ、適用する直交変換処理が、非対称な直交変換処
理（例えば、ＤＳＴ等）である場合に、直交変換・量子化部１４ｃは、残差信号生成部１
４ｂによって生成された残差信号を水平方向及び垂直方向の少なくとも一方に反転させた
上で直交変換処理を施すように構成されていてもよい。
【０１３１】
すなわち、イントラ予測部１４ａが、右側及び下側の少なくとも一方に位置する参照画
素を用いて予測画像を生成した場合であっても、適用する直交変換処理が、対称な直交変
換処理（例えば、ＤＣＴ等）である場合に、直交変換・量子化部１４ｃは、残差信号生成
部１４ｂによって生成された残差信号を反転させることなく直交変換処理を施すように構
成されていてもよい。
【０１３２】
また、イントラ予測部１４ａが、下側、左側及び上側といった３方向に隣接する参照画
素を用いて予測画像を生成した場合、直交変換・量子化部１４ｃは、残差信号生成部１４
ｂによって生成された残差信号を反転させることなく直交変換処理を施すように構成され
ていてもよい。
【０１３３】
また、イントラ予測部１４ａが、右側、左側及び上側といった３方向に隣接する参照画
素を用いて予測画像を生成した場合、直交変換・量子化部１４ｃは、残差信号生成部１４
ｂによって生成された残差信号を反転させることなく直交変換処理を施すように構成され
ていてもよい。
【０１３４】
図６に、本実施形態に係る符号化装置１の動作の一例について説明するためのフローチ
ャートについて示す。
【０１３５】
図６に示すように、ステップＳ３０１〜Ｓ３１４の動作は、図３に示すステップＳ１０
１〜Ｓ１１４の動作と同一である。
【０１３６】
ステップ３１５において、符号化装置１は、上述の残差信号を反転させることなく直交
変換処理を施し、その後の処理を行う。
【０１３７】
ステップ３１６において、符号化装置１は、上述の残差信号を水平方向及び垂直方向の
少なくとも一方に反転した上で直交変換処理を施し、その後の処理を行う。
【０１３８】
本実施形態に係る符号化装置１によれば、右側及び下側の少なくとも一方に位置する参
照画素を用いて予測画像を生成した場合には、残差信号を水平方向及び垂直方向の少なく
とも一方に反転した上で直交変換処理を施すように構成されているため、エントロピーの
増大を低減させることができる。
【０１３９】
本実施形態に係る復号装置３では、イントラ予測部３３ａが、右側及び下側の少なくと
も一方に位置する参照画素を用いて予測画像を生成した場合に、逆量子化・逆変換部３３
ｂは、上述の変換係数に逆直交変換処理を施すことで得られる信号を水平方向及び垂直方
向の少なくとも一方に反転するように構成されている。
【０１４０】
例えば、イントラ予測部３３ａが、左側及び下側に位置する参照画素を用いて予測画像
を生成した場合に、逆量子化・逆変換部３３ｂは、上述の変換係数に逆直交変換処理を施
すことで得られる信号を垂直方向に反転するように構成されていてもよい。
【０１４１】
また、イントラ予測部３３ａが、右側及び上側に位置する参照画素を用いて予測画像を
生成した場合に、逆量子化・逆変換部３３ｂは、上述の変換係数に逆直交変換処理を施す
ことで得られる信号を水平方向に反転するように構成されていてもよい。
【０１４２】
さらに、イントラ予測部３３ａが、右側及び下側に位置する参照画素を用いて予測画像
を生成した場合に、逆量子化・逆変換部３３ｂは、上述の変換係数に逆直交変換処理を施
すことで得られる信号を垂直方向及び水平方向に反転するように構成されていてもよい。
【０１４３】
なお、イントラ予測部３３ａが、右側及び下側の少なくとも一方に位置する参照画素を
用いて予測画像を生成した場合で、且つ、適用する直交変換処理が、非対称な直交変換処
理（例えば、ＤＳＴ等）である場合に、逆量子化・逆変換部３３ｂは、上述の変換係数に
逆直交変換処理を施すことで得られる信号を反転するように構成されていてもよい。
【０１４４】
すなわち、イントラ予測部３３ａが、右側及び下側の少なくとも一方に位置する参照画
素を用いて予測画像を生成した場合であっても、適用する直交変換処理が、対称な直交変
換処理（例えば、ＤＣＴ等）である場合に、逆量子化・逆変換部３３ｂは、上述の変換係
数に逆直交変換処理を施すことで得られる信号を反転させないように構成されていてもよ
い。
【０１４５】
また、イントラ予測部３３ａが、下側、左側及び上側といった３方向に隣接する参照画
素を用いて予測画像を生成した場合、逆量子化・逆変換部３３ｂは、上述の変換係数に逆
直交変換処理を施すことで得られる信号を反転させないように構成されていてもよい。
【０１４６】
また、イントラ予測部３３ａが、右側、左側及び上側といった３方向に隣接する参照画
素を用いて予測画像を生成した場合、逆量子化・逆変換部３３ｂは、上述の変換係数に逆
直交変換処理を施すことで得られる信号を反転させないように構成されていてもよい。
【０１４７】
図７に、本実施形態に係る復号装置３の動作の一例について説明するためのフローチャ
ートについて示す。
【０１４８】
図７に示すように、ステップＳ４０１〜Ｓ４１４の動作は、図５に示すステップＳ２０
１〜Ｓ２１４の動作と同一である。
【０１４９】
ステップ４１５において、復号装置３は、上述の変換係数に逆直交変換処理を施すこと
で得られる信号を反転させずに、その後の処理を行う。
【０１５０】
ステップ４１６において、復号装置３は、上述の変換係数に逆直交変換処理を施すこと
で得られる信号を水平方向及び垂直方向の少なくとも一方に反転した上で、その後の処理
を行う。
【０１５１】
（その他の実施形態）
上述のように、本発明について、上述した実施形態によって説明したが、かかる実施形
態における開示の一部をなす論述及び図面は、本発明を限定するものであると理解すべき
ではない。かかる開示から当業者には様々な代替実施形態、実施例及び運用技術が明らか
となろう。
【０１５２】
また、上述の実施形態では特に触れていないが、上述の符号化装置１及び復号装置３に
よって行われる各処理をコンピュータに実行させるプログラムが提供されてもよい。また
、かかるプログラムは、コンピュータ読取り可能媒体に記録されていてもよい。コンピュ
ータ読取り可能媒体を用いれば、かかるプログラムをコンピュータにインストールするこ
とが可能である。ここで、かかるプログラムが記録されたコンピュータ読取り可能媒体は
、非一過性の記録媒体であってもよい。非一過性の記録媒体は、特に限定されるものでは
ないが、例えば、ＣＤ-ＲＯＭやＤＶＤ-ＲＯＭ等の記録媒体であってもよい。
【０１５３】
或いは、上述の符号化装置１及び復号装置３内の少なくとも一部の機能を実現するため
のプログラムを記憶するメモリ及びメモリに記憶されたプログラムを実行するプロセッサ
によって構成されるチップが提供されてもよい。
【符号の説明】
【０１５４】
１…符号化装置
１１…イントラ予測モード決定部
１２…ＴＵ分割決定部
１３…符号化順制御部
１４…逐次局部復号画像生成部
１４ａ…イントラ予測部
１４ｂ…残差信号生成部
１４ｃ…直交変換・量子化部
１４ｄ…逆量子化部・逆直交変換部
１４ｅ…局部復号画像生成部
１５…メモリ
１６…エントロピー符号化部
３…復号装置
３１…エントロピー復号部
３２…復号順制御部
３３…逐次局部復号画像生成部
３３ａ…イントラ予測部
３３ｂ…逆量子化・逆変換部
３３ｃ…復号画像生成部
３４…メモリ
【図１】
2018121318.tif 000003
【図２】
2018121318.tif 000004
【図３】
2018121318.tif 000005
【図４】
2018121318.tif 000006
【図５】
2018121318.tif 000007
【図６】
2018121318.tif 000008
【図７】
2018121318.tif 000009
【図８】
2018121318.tif 000010
【図９】
2018121318.tif 000011
【図１０】
2018121318.tif 000012
【図１１】
2018121318.tif 000013